(57)【要約】【課題】第１の記録媒体から読み出した再生信号の先頭を検知して該先頭から再生信号を第２の記録媒体に録音できるようにしたものである。【解決手段】デジタル放送の受信信号を処理する信号処理部と、この信号処理部で処理された受信信号を録音する第１の記録媒体と、この第１の記録媒体からの再生信号を録音する第２の記録媒体とを備え、制御部は前記再生信号の先頭を検知して前記第２の記録媒体に該再生信号の録音を指示するもので、第２の記録媒体には受信中の受信信号を確実に先頭から録音することができる。【選択図】図１
2009027209.tif 000002
【特許請求の範囲】
【請求項１】
デジタル放送の受信信号を処理する信号処理部と、この信号処理部で処理された受信信号を録音する第１の記録媒体と、この第１の記録媒体からの再生信号を録音する第２の記録媒体と、前記再生信号の先頭を検知して前記第２の記録媒体に該再生信号の録音を指示する制御部とを備えた放送内容録音装置。
【請求項２】
制御部は、第１の記録媒体の遅延時間−録音指示時点における受信信号の経過時間＝残り時間が「０」であるか、曲名情報の変化点であるか、無音部であるかのいずれかによって、第１の記録媒体からの再生信号の先頭を検知することを特徴とする請求項１記載の放送内容録音装置。
【請求項３】
制御部は、第１の記録媒体の遅延時間−録音指示時点における受信信号の経過時間＝残り時間が「０」であるか、曲名情報の変化点であるか、無音部であるかを優先順位を設けて判断することによって、再生信号の先頭を検知することを特徴とする請求項１記載の放送内容録音装置。
【発明の詳細な説明】
【技術分野】
【０００１】
この発明は、デジタルラジオ放送、デジタルテレビ放送等のデジタル放送の受信信号を録音する放送内容録音装置に関するものである。
【背景技術】
【０００２】
この種の放送内容録音装置は、デジタル放送の受信を開始したとき、例えば録音したい受信信号が受信された場合、その時点で録音操作を行うと、その時点からつまり受信信号の途中からしか録音されない。そこで、受信信号を常時第１の記録媒体に一定時間分（例えば５分）を録音しておき、録音操作したとき、第１の記録媒体からの再生信号を時間を遡ることによって受信信号の先頭から第２の記録媒体に録音する機能（プレイバック機能）が既に存在し知られている。しかし、このプレイバック機能であっても、必ずしも楽曲の先頭から録音することはできず、その前の余分な受信信号も同時に録音することになる。
【０００３】
従来は、特許文献１に記載されるように、受信信号を常時一定量蓄える第１の記録媒体を備え、受信信号に付加される文字情報（楽曲名等）と予め設定入力した文字情報とを比較し、一致した受信情報を自動的に録音する機能を有している。この場合、文字情報の区切りを検知する検知手段を備えることにより、録音の頭切れが生じるのを防ぐものがある。
【０００４】
【特許文献１】特開平１０−５５６５６号公報
【発明の開示】
【発明が解決しようとする課題】
【０００５】
従来の放送内容録音装置は以上のように構成されているので、文字情報の変化と楽曲情報の変化にずれがあった場合、必ずしも受信信号の先頭から録音することができず、受信信号の頭切れを生じたり、希望する受信信号より前の余分な受信信号から録音する。また文字情報がない場合は自動録音が機能しないという課題があった。
【０００６】
この発明は上記のような課題を解消するためになされたもので、受信信号を必ず先頭から録音できるようにした放送内容録音装置を得ることを目的とする。
【課題を解決するための手段】
【０００７】
この発明に係る放送内容録音装置は、デジタル放送の受信信号を処理する信号処理部と、この信号処理部で処理された受信信号を録音する第１の記録媒体と、この第１の記録媒体からの再生信号を録音する第２の記録媒体とを備え、制御部は前記再生信号の先頭を検知して前記第２の記録媒体に該再生信号の録音を指示するものである。
【発明の効果】
【０００８】
この発明によれば、受信中、いつ録音操作を行っても、必ず希望する受信信号の先頭を検知して録音を開始するように構成したので、その受信信号を必ず先頭から確実に記録媒体に録音できるという効果がある。
【発明を実施するための最良の形態】
【０００９】
以下、この発明の実施の一形態を図面について詳細に説明する。
実施の形態１．
以下、図面について、車に搭載した放送内容録音装置で受信した受信信号を録音する場合を説明する。
図１は実施の形態１である放送内容録音装置の構成を示すブロック図であり、図１において、アンテナ１を備えたチューナ２の出力側には、信号処理部３が設けられている。この信号処理部３の出力側には一時録音のための第１の記録媒体としてのメモリ８とＤ／Ａ（デジタル／アナログ）コンバータ５とが接続され、Ｄ／Ａコンバータ５の出力側には増幅部６とスピーカ７が順次直列に設けられている。また、メモリ８の出力側には第２の記録媒体としてのＨＤＤ（Ｈａｒｄ  Ｄｉｓｋ  Ｄｒｉｖｅ）４が設けられている。そして、図に省略した電源供給路によって、チューナ２、信号処理部３、ＨＤＤ４、Ｄ／Ａコンバータ５、アンプ６、制御部としてのマイクロコンピュータ９のそれぞれに電力が供給されている。マイクロコンピュータ９は信号処理部３との間で互いに通信を行い、演奏期間制御データや楽曲等の文字情報を得る。
【００１０】
また、マイクロコンピュータ９は、図示しない操作部からの操作信号に基づいて、第１の記録媒体としてのメモリ８の遅延時間（メモリ８に入力された信号が出力されるまでの時間）−楽曲経過時間（録音指示時点における受信信号の経過時間）＝残り時間が「０」であるか、曲名情報の変化点であるかを判断するとともに、音声レベル検知器１０から無音検知信号のいずれかを受けることにより、メモリ８から再生された希望する受信信号の先頭を検知してＨＤＤ４に録音開始を指示するので、受信信号は必ず先頭から確実にＨＤＤ４に録音することができる。
【００１１】
次に動作を説明する。アンテナ１より入力されたデジタル放送波はチューナ２で周波数変換された後、信号処理部３に供給される。信号処理部３で処理されたデジタル受信信号はＤ／Ａコンバータ５でアナログ受信信号に変換される。このアナログ受信信号はアンプ回路６で増幅された後、スピーカ７に供給されて音声出力される。この受信状態において、デジタル受信信号は順次メモリ８に録音され、録音容量以上になると自然にオーバフローして消去され、順次新しいデジタル受信信号が録音される。
【００１２】
この録音状態において、ユーザーが受信信号の中で希望する受信信号をＨＤＤ４に録音する動作を図２のフローチャートについて説明する。ユーザーが図示しない操作部によって、希望する受信信号をＨＤＤ４に録音することをマイクロコンピュータ９に指示すると（ステップＳＴ１）、この指示を受けたマイクロコンピュータ９は、信号処理部３との通信によって受信信号に演奏期間制御データが付加されているか否かを判断する（ステップＳＴ２）。そして、付加されている場合は、第１の記録媒体の遅延時間−楽曲経過時間＝残り時間が「０」であるかを判する（ステップＳＴ３）。
【００１３】
例えば、メモリ８の遅延時間が５分、楽曲経過時間が２分とすれば、残り時間は３分であるから、録音指示時点から３分経過すると残り時間は「０」となり、録音を希望する受信信号の先頭がメモリ８から再生出力される。そこで、マイクロコンピュータ９は、ステップＳＴ３の判断がＹＥＳであれば、ＨＤＤ４に録音開始を指示する（ステップＳＴ４）。なお、ステップＳＴ３の判断で０でなければ、０になるまでステップＳＴ３の判断を繰り返す。
【００１４】
一方、マイクロコンピュータ９は、上記のステップＳＴ２の判断結果が「ＮＯ」の場合は、メモリ８からの再生信号に文字情報である曲名情報が付加されているか否かを判断する（ステップＳＴ５）。そして、曲名情報が付加されている場合は、その曲名情報の変化点を検知し、この変化点が楽曲の先頭とみなしてＨＤＤ４に録音開始を指示する（ステップＳＴ４）。
【００１５】
また、受信信号がニュース等のように長さが不明で、楽曲のように演奏期間制御データや楽曲経過時間や楽曲の文字情報がマイクロコンピュータ９で確認できない場合は、Ｄ／Ａコンバータ５から出力されたアナログ信号の音声レベルを検知するアナログ音声レベル検知器１０によって、Ｄ／Ａコンバータ５から出力されたアナログ信号の音声レベルが予め設定したアナログ音声レベル値以下、つまり無音部となったかを判断し（ステップＳＴ７）、無音が予め設定した時間以上経過した場合はその無音部を受信信号の先頭と見なしてマイクロコンピュータ９に通知する（ステップＳＴ８）。この通知を受けたマイクロコンピュータ９はＨＤＤ４に録音の開始を指示する（ステップＳＴ４）。
【００１６】
上記いずれの判断もできないときは、マイクロコンピュータ９による録音指示から予め設定した時間経過したかを判断し、設定時間を経過したと判断したときは、マイクロコンピュータ９はＨＤＤ４に録音開始を指示して録音を開始する（ステップＳＴ９）。
【００１７】
つまり、録音開始を指示した時点では既に希望する受信信号はメモリ８に入力されているので、その受信信号の先端がメモリ８より出力されるであろう予め設定した時間が経過したかを判断し（ステップＳＴ９）、ＹＥＳであれば、マイクロコンピュータ９はＨＤＤ４に録音開始を指示して録音を開始する。なお、ステップＳＴ９の判断でＹＥＳでなければ、ＹＥＳになるまでステップＳＴ９の判断を繰り返す。
【００１８】
ＨＤＤ４を再生するときは、不図示の操作部よりマイクロコンピュータ９にＨＤＤ４の再生を指示すると、マイクロコンピュータ９はＨＤＤ４に再生開始を指示する。ＨＤＤ４の再生信号は、Ｄ／Ａコンバータ５でアナログ信号に変換され、アンプ６を介してスピーカ７から音声出力される。
【００１９】
以上のように、実施の形態１によれば、ユーザーが受信信号のＨＤＤへの録音を指示すると、マイクロコンピュータ９はメモリ８の遅延時間−録音指示時点における受信信号の経過時間＝残り時間が「０」であるか、曲名情報の変化点であるか、無音部であるかを順次判断し、そのいずれかに該当するときはメモリから希望する受信信号の先頭が再生されたとしてＨＤＤに録音するように構成したので、確実に現在受信中の受信信号の先頭に遡ってＨＤＤに該受信信号を録音することができる効果がある。また、上記のメモリ８の遅延時間−楽曲経過時間＝残り時間が「０」であるか、曲名情報の変化点であるか、無音部であるかの判断に、精度の高いものから優先度をつけることにより、希望する受信信号の先頭からの録音精度を高めることができる。
【００２０】
実施の形態２．
図３は実施の形態２である放送内容録音装置の構成を示すブロック図であり、実施の形態１では、受信信号の無音状態を検知するためにＤ／Ａコンバータから出力されたアナログ音声レベルを検知したが、この実施の形態２はメモリ８から出力されたデジタル音声レベル検知器１１を設け、例えば、ｎビットで構成されるデジタル受信信号の全ビットがすべて「０」となり、この「０」状態が所定時間継続したとき無音部と検知する。マイクロコンピュータ９はデジタル音声レベル検知器１１から無音部の検知信号を受けると、直ちにＨＤＤ４に対し録音開始を指示する。他の構成は図１と同一であるから、同一部分には同一符号を付して重複説明を省略する。
【００２１】
なお、上記の実施の形態では、記録媒体としてＨＤＤを例示したが、このＨＤＤに限定されるものではなく、ＣＤＲ、フラッシュメモリ等であっても同様である。
また、図示例は、車に搭載したデジタル受信装置で受信した受信信号を録音する場合を例について説明したが、室内に設置した固定式のデジタル受信装置で受信した受信信号を録音する場合についても同様に適用することができる。
【図面の簡単な説明】
【００２２】
【図１】実施の形態１を示す放送内容録音装置のブロック図である。
【図２】その動作を説明するフローチャートである。
【図３】実施の形態２を示す放送内容録音装置のブロック図である。
【符号の説明】
【００２３】
１  アンテナ、２  チューナ、３  信号処理部、４  ＨＤＤ、５  Ｄ／Ａコンバータ、６  アンプ、７  スピーカ、８  メモリ、９  マイクロコンピュータ（制御部）、１０  アナログ音声レベル検知器、１１  デジタル音声レベル検知器。
【図１】
2009027209.tif 000003
【図２】
2009027209.tif 000004
【図３】
2009027209.tif 000005